【手続補正書】
【提出日】平成27年12月3日(2015.12.3)
【手続補正１】
【補正対象書類名】特許請求の範囲
【補正対象項目名】全文
【補正方法】変更
【補正の内容】
【特許請求の範囲】
【請求項１】
再生制御装置であって、
一連の画像を順次再生する再生手段と、
前記再生手段で再生された画像を表示する表示部または前記再生制御装置の姿勢を検出する検出手段と、
前記表示部または前記再生制御装置の向きが横位置姿勢、かつ、前記表示部に表示される画像の向きが縦長である場合、もしくは前記表示部または前記再生制御装置の向きが縦位置姿勢、かつ、前記表示部に表示される画像の向きが横長である場合のいずれかの場合であれば、前記一連の画像の再生を停止するように制御する制御手段とを有することを特徴とする再生制御装置。
【請求項２】
前記再生手段は、前記一連の画像において第一の画像に続いて第二の画像を再生し、
前記制御手段は、前記第一の画像の再生から前記第二の画像の再生に切り替わる際に、前記制御を行うことを特徴とする請求項１に記載の再生制御装置。
【請求項３】
前記制御手段は、前記一連の画像の再生を停止すると共に前記表示部に表示される画像を、前記表示部または前記再生制御装置の向きに応じて回転して表示するように制御することを特徴とする請求項１または２に記載の再生制御装置。
【請求項４】
前記表示部に表示される画像の向きが横長であるか、縦長であるかを示す画像方向情報を取得する取得手段をさらに有し、
前記制御手段は、前記取得手段で取得した前記画像方向情報に基づいて制御を行うことを特徴とする請求項１乃至３のいずれか１項に記載の再生制御装置。
【請求項５】
前記画像方向情報は、画像を撮影した際の撮像装置の姿勢に基づくことを特徴とする請求項４に記載の再生制御装置。
【請求項６】
前記画像方向情報は、前記表示部に表示される画像の天地を示す情報を含むことを特徴とする請求項４または５に記載の再生制御装置。
【請求項７】
前記制御手段は、前記表示部または前記再生制御装置の向きが横位置姿勢、かつ、前記表示部に表示される画像の向きが横長である場合、もしくは前記表示部または前記再生制御装置の向きが縦位置姿勢、かつ、前記表示部に表示される画像の向きが縦長である場合のいずれかであれば、前記一連の画像の再生を継続するように制御することを特徴とする請求項１乃至６のいずれか１項に記載の再生制御装置。
【請求項８】
前記制御手段は、前記一連の画像の再生を停止した際に、前記表示部に表示される画像の上下方向を示す方向アイコンを表示するように制御することを特徴とする請求項１乃至７のいずれか１項に記載の再生制御装置。
【請求項９】
前記制御手段は、前記一連の画像の再生を停止した後に、前記検出手段が前記表示部または前記再生制御装置の姿勢の所定の変化を検出した場合には、前記一連の画像を再生するように制御することを特徴とする請求項１乃至８のいずれか１項に記載の再生制御装置。
【請求項１０】
前記横位置姿勢は、前記表示部または前記再生制御装置が横長になるように構えられた姿勢であり、前記縦位置姿勢は、前記表示部または前記再生制御装置が縦長になるように構えられた姿勢であることを特徴とする請求項１乃至９のいずれか１項に記載の再生制御装置。
【請求項１１】
一連の画像において第一の画像に続いて第二の画像を再生して表示部において表示する再生手段と、
前記第二の画像の向きが横長で前記第一の画像の向きも横長であるか、または前記第二の画像の向きが縦長で前記第一の画像の向きも縦長である場合には、前記第一の画像の再生に続いて前記第二の画像を再生し、前記第二の画像の向きが横長で前記第一の画像の向きが縦長であるか、または前記第二の画像の向きが縦長で前記第一の画像の向きが横長である場合には、前記第一の画像の再生に続いて前記第二の画像の再生を停止するように制御する制御手段とを有することを特徴とする再生制御装置。
【請求項１２】
前記表示部または前記再生制御装置の姿勢を検出する検出手段とをさらに有し、
前記制御手段は、前記第二の画像の再生を停止した後に前記検出手段が前記表示部または前記再生制御装置の姿勢の所定の変化を検出した場合には、前記第二の画像を再生するように制御することを特徴とする請求項１１に記載の再生制御装置。
【請求項１３】
前記制御手段は、前記第二の画像の再生を停止すると共に前記第二の画像を、前記検出手段の検出した前記表示部または当該再生制御装置の姿勢に基づいて回転して表示するように制御することを特徴とする請求項１２に記載の再生制御装置。
【請求項１４】
前記第二の画像の向きが縦長であるか横長であるかを示す情報を取得する取得手段をさらに有することを特徴とする請求項１１乃至１３のいずれか１項に記載の再生制御装置。
【請求項１５】
前記第二の画像の向きは、画像を撮影した際の撮像装置の姿勢に基づくことを特徴とする請求項１１乃至１４のいずれか１項に記載の再生制御装置。
【請求項１６】
前記制御手段は、前記第二の画像を停止した際に、前記第二の画像の上下方向を示す方向アイコンを表示するように制御することを特徴とする請求項１１乃至１５のいずれか１項に記載の再生制御装置。
【請求項１７】
前記再生制御装置は、撮像手段を有する撮像装置であることを特徴とする請求項１乃至１６のいずれか１項に記載の再生制御装置。
【請求項１８】
前記所定の変化は、前記表示部または前記再生制御装置が前記横位置姿勢から前記縦位置姿勢に変化したこと、もしくは、前記表示部または前記再生制御装置が前記縦位置姿勢から前記横位置姿勢に変化したことのいずれかの変化であることを特徴とする請求項９または１２に記載の再生制御装置。
【請求項１９】
前記一連の画像は動画であることを特徴とする請求項１乃至１９のいずれか１項に記載の再生制御装置。
【請求項２０】
一連の画像を順次再生する再生手段を有する再生制御装置の制御方法であって、
前記再生手段で再生された画像を表示する表示部または前記再生制御装置の姿勢を検出する検出ステップと、
前記表示部または前記再生制御装置の向きが横位置姿勢、かつ、前記表示部に表示される画像の向きが縦長である場合、もしくは前記表示部または前記再生制御装置の向きが縦位置姿勢、かつ、前記表示部に表示される画像の向きが横長である場合のいずれかの場合であれば、前記一連の画像の再生を停止するように制御する制御ステップとを有することを特徴とする再生制御装置の制御方法。
【請求項２１】
一連の画像において第一の画像に続いて第二の画像を再生して表示部において表示する再生ステップと、
前記第二の画像の向きが横長で前記第一の画像の向きも横長であるか、または前記第二の画像の向きが縦長で前記第一の画像の向きも縦長である場合には、前記第一の画像の再生に続いて前記第二の画像を再生し、前記第二の画像の向きが横長で前記第一の画像の向きが縦長であるか、または前記第二の画像の向きが縦長で前記第一の画像の向きが横長である場合には、前記第一の画像の再生に続いて前記第二の画像の再生を停止するように制御する制御ステップとを有することを特徴とする再生制御装置の制御方法。
【請求項２２】
コンピュータを、請求項１乃至１９のいずれか１項に記載の再生制御装置の各手段として機能させるためのプログラム。
【請求項２３】
コンピュータを、請求項１乃至１９のいずれか１項に記載の再生制御装置の各手段として機能させるためのプログラムを格納したコンピュータが読み取り可能な記憶媒体。
【手続補正２】
【補正対象書類名】明細書
【補正対象項目名】発明の名称
【補正方法】変更
【補正の内容】
【発明の名称】再生制御装置及びその制御方法
【手続補正３】
【補正対象書類名】明細書
【補正対象項目名】０００１
【補正方法】変更
【補正の内容】
【０００１】
本発明は、特に、動画を快適に鑑賞するために用いて好適な再生制御装置、再生制御装置の制御方法、プログラム及び記憶媒体に関する。
【手続補正４】
【補正対象書類名】明細書
【補正対象項目名】００１６
【補正方法】変更
【補正の内容】
【００１６】
本発明の再生制御装置は、再生制御装置であって、一連の画像を順次再生する再生手段と、前記再生手段で再生された画像を表示する表示部または前記再生制御装置の姿勢を検出する検出手段と、前記表示部または前記再生制御装置の向きが横位置姿勢、かつ、前記表示部に表示される画像の向きが縦長である場合、もしくは前記表示部または前記再生制御装置の向きが縦位置姿勢、かつ、前記表示部に表示される画像の向きが横長である場合のいずれかの場合であれば、前記一連の画像の再生を停止するように制御する制御手段とを有することを特徴とする。